(57)【要約】  本発明は、生態系を破壊することなく水中の溶存酸素濃度を高め、好気性細菌によって環境水、産業排水、下水などの生活排水の浄化を行う方法を提供することを目的とする。本発明の水浄化システムは、水中に炭素繊維製または酸化繊維あるいは耐炎化繊維あるいは各種繊維製の水質浄化材２を配置するとともに、底部または浄化対象水域壁部、あるいは底泥中に、炭素繊維あるいは酸化繊維あるいは耐炎化繊維等の炭素材６を埋め込むことで、環境水、産業排水、下水などの生活排水中の溶存酸素濃度を高める水浄化システムである。
2010035800.tif 000002
【特許請求の範囲】
【請求項１】
浄化対象水中に浸漬した繊維製水質浄化材と、前記浄化対象水の水底上面および浄化対象水域壁部の少なくとも一方の一部または全部を覆う炭素材とを備え、
前記浄化対象水中に含まれる汚濁物質及び／又は汚染物質を分解する生物を前記繊維製水質浄化材に付着させると共に、前記生物が前記炭素材に移動可能なように前記繊維製水質浄化材を配置し、前記浄化対象水中の溶存酸素濃度を増加させることを特徴とする水浄化システム。
【請求項２】
前記繊維製水質浄化材が、水草のごとく立ち上がる構造、あるいは水表面の浮体から吊り下げた構造を有して前記浄化対象水中に浸漬されていることを特徴とする、請求項１記載の水浄化システム。
【請求項３】
前記炭素材が、木炭片、木炭粒及び／又は木炭粉をバインダーで固めた成型物、炭素繊維、活性炭繊維、酸化繊維及び耐炎化繊維から選ばれる一つの材料及び／又は前記材料の２種以上の組み合わせからなることを特徴とする、請求項１又は請求項２に記載の水浄化システム。
【請求項４】
前記炭素材の一部が、水底を形成する底泥中に埋設されていることを特徴とする、請求項１から３までの何れかに記載の水浄化システム。
【請求項５】
前記繊維製水質浄化材が、炭素繊維、活性炭繊維、酸化繊維、耐炎化繊維、パラ系アラミド繊維、ナイロン繊維、塩化ビニリデン繊維及びポリビニル繊維から選ばれる少なくとも一つの繊維及び／又は前記繊維の２種以上の組み合わせからなることを特徴とする、請求項１から４までの何れかに記載の水浄化システム。
【請求項６】
前記酸化繊維が、アクリル繊維を２００℃以上かつ３００℃以下で熱処理をした繊維であることを特徴とする、請求項３から５までの何れかに記載の水浄化システム。
【請求項７】
前記浄化対象水が、
(1) 河川、水路、運河、池、湖沼、湾、入り江、海洋などに存在する環境水、
(2) 工場などから排出される産業排水、及び／又は
(3) ヒトや家畜などの排泄物を含んだ生活排水
であることを特徴とする、請求項１から６までの何れかに記載の水浄化システム。
【請求項８】
浄化対象水中に繊維製水質浄化材を浸漬し、
前記浄化対象水の水底上面および浄化対象水域壁部の少なくとも一方の一部または全部を炭素材で覆い、
前記浄化対象水中に含まれる汚濁物質及び／又は汚染物質を分解する生物を前記繊維製水質浄化材に付着させて増殖させ、
増殖した前記生物を前記繊維製水質浄化材から前記炭素材に移動させると共に、前記浄化対象水中の溶存酸素濃度を増加させることを特徴とする、浄化対象水中の溶存酸素濃度の増加方法。
【請求項９】
繊維製水質浄化材が、水草のごとく立ち上がる構造、あるいは水表面の浮体から吊り下げた構造からなることを特徴とする、請求項８記載の浄化対象水中の溶存酸素濃度の増加方法。
【請求項１０】
前記炭素材が、木炭片、木炭粒もしくは、木炭粉をバインダーで固めた成型物、炭素繊維、活性炭繊維、酸化繊維及び耐炎化繊維から選ばれる少なくとも一つの材料、又は前記材料の２種以上の組み合わせからなることを特徴とする、請求項８又は請求項９に記載の浄化対象水中の溶存酸素濃度の増加方法。
【請求項１１】
前記酸化繊維が、アクリル繊維を２００℃以上かつ３００℃以下で熱処理をしたものであることを特徴とする、請求項１０記載の浄化対象水中の溶存酸素濃度の増加方法。
【請求項１２】
前記浄化対象水中で、前記繊維製水質浄化材と前記炭素材とが接触または近接させられていることを特徴とする、請求項８から１１までの何れかに記載の浄化対象水中の溶存酸素濃度の増加方法。
【請求項１３】
前記繊維製水質浄化材が、炭素繊維、活性炭繊維、酸化繊維、耐炎化繊維、パラ系アラミド繊維、ナイロン繊維、塩化ビニリデン繊維及びポリビニル繊維から選ばれる少なくとも一つの繊維及び／又は前記繊維の２種以上の組み合わせからなることを特徴とする、請求項８から１２までの何れかに記載の浄化対象水中の溶存酸素濃度の増加方法。
【請求項１４】
前記浄化対象水が、
(1) 河川、水路、運河、池、湖沼、湾、入り江、海洋などに存在する環境水、
(2) 工場などから排出される産業排水、及び／又は
(3) ヒトや家畜などの排泄物を含んだ生活排水
であることを特徴とする、請求項８から１３までの何れかに記載の浄化対象水中の溶存酸素濃度の増加方法。
【発明の詳細な説明】
【技術分野】
【０００１】
この発明は、河川、水路、運河、池、湖沼、湾、入り江、海洋等に存在する淡水、汽水、海水などの環境水、並びに、産業排水及び下水中から生物を使用して汚濁物質を取り除くための水浄化システム、および、浄化対象水中の溶存酸素濃度の増加方法に関する。
【背景技術】
【０００２】
近年、水質汚染が日本のみならず世界各国で進行している。アオコの発生、赤潮の発生など、水質汚染はこれからの地球環境問題になるといわれている。特に、地球温暖化や二酸化炭素削減問題の次にくる地球規模での環境問題は、水資源の確保である。この状況が悪化すると、水戦争が起こるかもしれないといわれている。【０００３】
水質汚染の進行は、自然界のもつ回復力よりも、水が人為的に汚染、汚濁される割合の方が大きいことに関係している。水質汚染がより進行すると、河川、湖沼などの水底部に悪臭物質を含む底泥が堆積する。底泥は、一般的にはヘドロと言われている。【０００４】
これに対し、水を浄化する水質浄化方法としては、様々な方法が開発されている。しかし、従来の方法で水質浄化を行っても、底泥は分解されないため、川底あるいは沼底あるいは湖底に沈積した底泥（ヘドロ）から汚濁物質が溶け出すことがあり、完全に水質を浄化することは困難である。よって、確実に水質浄化を行うためには、底泥を分解あるいは除去しなければならない。【０００５】
ヘドロが堆積する原因としては、水中の溶存酸素濃度が減少して、汚濁物質を分解する微生物が生息し難い環境となっていることが挙げられる。従って、底泥を取り除くには、汚濁物質を分解する好気性の微生物を繁殖させ、それによって汚濁物質を分解し水を浄化する必要がある。しかし、好気性微生物が汚濁物質を分解して水を浄化するには、水中の溶存酸素が不可欠である。水中に溶存酸素がない場合には、嫌気状態となり、好気性微生物による汚濁物質の分解速度、即ち水の浄化速度は、著しく低くなるからである。【０００６】
ここで、底泥を取り除く他の方法としては、一般には浚渫が良く知られている。しかしながら、現在実施されているような、吸引ポンプで底泥をくみ上げる浚渫方法では、底泥中に生息する有用な生物群、たとえば微生物、細菌などもくみ出して廃棄してしまう。また、水草などの植物群も強制的に除去されてしまうことから、生態系を破壊することにもなる。【０００７】
これに対し、特開２００１−４７０９５号公報において、浚渫によることなく、製鉄所から排出される製鉄スラグを利用してヘドロの脱リン・脱窒素・脱アンモニアをする方法が開示されている。しかしながら、この方法は、ヘドロ中の窒素やリンの分解除去を目的とするものであり、ヘドロの主成分である炭素成分を分解除去することを目的とするものではないので、ヘドロの分解効率は低い。このため、どうしても、網状袋体などを使用して脱窒素細菌などを人工的に補充して底泥を分解する必要があった。
【発明の概要】
【発明が解決しようとする課題】
【０００８】
以上に説明した従来技術が有する諸問題に鑑み、本発明の目的は、人工的に底泥を浚渫したり、人工的に微生物、細菌などを水底に補充設置して底泥を分解したりするのではなく、自然界に存在する生物資源をそのまま利用して底泥を分解除去する水浄化システム及び浄化対象水中の溶存酸素濃度の増加方法を提供することにある。【０００９】
また本発明の目的は、自然界に存在する生物を積極的に浄化対象水中で増殖させて、浄化対象水中から汚染物質あるいは汚濁物質を分解除去して浄化対象水を浄化するとともに、増殖させた生物を浄化対象水中の底泥の分解除去に積極的に利用する水浄化システム及び浄化対象水中の溶存酸素濃度の増加方法を提供することにある。
【課題を解決するための手段】
【００１０】
本発明者は、炭素材料が好気性細菌の繁殖および固着に適していることを見出し、水中に炭素繊維、底泥中に炭素材を配置することで、底泥を効果的に分解し、環境水の浄化を行うことに想到した。このとき、水中に炭素繊維製水質浄化材などの繊維製水質浄化材を配置するとともに、底泥中に木炭、炭素繊維などの炭素材を埋め込むことによって、底泥を分解する能力をもつ好気性細菌を繁殖させ底泥を分解できることを知見した。そして、この知見により、生態系を破壊することなく底泥を分解でき、しかも、浄化対象水中に存在する生物を有効に利用して、水中の汚濁物質や汚染物質も効果的に分解でき、これによって汚濁水あるいは汚染水の浄化を行うことができる本発明の水浄化システムを着想した。【００１１】
ここで、本発明者は、本発明の水浄化システムでは、水中に存在する好気性細菌が水中に浸漬した炭素繊維製水質浄化材等の特定の繊維製水質浄化材に付着して増殖すると共に、繊維製水質浄化材を介して増殖した好気性細菌の一部が水底部に移動し、水底部に配置した炭素材中で好気性細菌が生育することで、好気性細菌による底泥の分解が促進されて底泥の分解が起こると推察した。【００１２】
また本発明者は、前述したような水浄化システムでは、好気性細菌が水底部で増殖し、その結果として植物性プランクトンや植物等が繁殖するようになると、植物等から酸素ガスが発生して水中の溶存酸素濃度が増加し、好気性細菌による底泥の分解が更に促進されると推察した。そこで、本発明者が、これらの推察を確認するために各種の実験を行ったところ、本発明の水浄化システムによれば底泥が効率良く分解して減少することが再確認された。【００１３】
更に、本発明者は、上記の底泥分解が可能な水浄化システムに関する実験を行った際に水中の溶存酸素濃度を測定したところ、水浄化システムを設置した場所と、水浄化システムを設置しなかった場所とでは、水中の溶存酸素濃度に顕著な差があることを見出した。しかも、驚くべきことに、溶存酸素濃度に差が生じた時には水浄化システムの設置から２週間しか経過していなかったことから、酸素を供給する水草などの水生植物は殆ど繁殖していないにもかかわらず、水浄化システムの設置場所で溶存酸素濃度が格段に増加していたのである。これは、上記の水浄化システムを設置することで、好気性細菌が水中から繊維製水質浄化材および炭素材へ移動して増殖したことと関連して何らかの理由で水中の溶存酸素濃度が高くなったことによるものであると推察された。【００１４】
そして、本発明者は、上記現象を詳細に解析した結果、本発明の浄化対象水中の溶存酸素濃度の増加方法に想到したのである。【００１５】
ここで、本発明は、水中に繊維製水質浄化材を配置するとともに、底泥中に炭素材を埋め込むことを特徴とするものであり、生態系を破壊することなく、水中の溶存酸素濃度を高めて、底泥を分解除去するものである。【００１６】
ここに、前述の課題を解決するための本発明に係る「水浄化システム」として、「浄化対象水中に浸漬した繊維製水質浄化材と、前記浄化対象水の水底上面および浄化対象水域壁部の少なくとも一方の一部または全部を覆う炭素材とを備え、前記浄化対象水中に含まれる汚濁物質及び／又は汚染物質を分解する生物を前記繊維製水質浄化材に付着させると共に、前記生物が前記炭素材に移動可能なように前記繊維製水質浄化材を配置し、前記浄化対象水中の溶存酸素濃度を増加させることを特徴とする水浄化システム」が提供される。【００１７】
また、前述の課題を解決するための本発明に係る「浄化対象水中の溶存酸素濃度の増加方法」として、「浄化対象水中に繊維製水質浄化材を浸漬し、前記浄化対象水の水底上面および浄化対象水域壁部の少なくとも一方の一部または全部を炭素材で覆い、前記浄化対象水中に含まれる汚濁物質及び／又は汚染物質を分解する生物を前記繊維製水質浄化材に付着させて増殖させ、増殖した前記生物を前記繊維製水質浄化材から前記炭素材に移動させると共に、前記浄化対象水中の溶存酸素濃度を増加させることを特徴とする、浄化対象水中の溶存酸素濃度の増加方法」が提供される。【００１８】
このとき、前記繊維製水質浄化材を、水草のごとく立ち上がる構造、あるいは水表面の浮体から吊り下げた構造として浄化対象水中に浸漬すると、繊維製水質浄化材に好気性細菌が付着して増殖すると共に、繊維製水質浄化材を介して増殖した好気性細菌が、浄化対象水の水底上面および浄化対象水域壁部の少なくとも一方の一部または全部を覆う炭素材に移転して繁殖し、これによって底泥を分解除去できることとなる。【００１９】
また、水底上面および浄化対象水域壁部の少なくとも一方の一部または全部に設置する炭素材を、木炭片、木炭粒もしくは、木炭粉をバインダーで固めた成型物、炭素繊維、活性炭繊維、酸化繊維及び耐炎化繊維から選ばれる少なくとも一つの材料、又は前記材料の２種以上の組み合わせとすることによって、好気性細菌などの生物が増殖しやすい環境を構築することができる。【００２０】
なお、炭素材の一部が水底を形成する底泥中にも埋設されていると、好気性細菌などの生物が容易に底泥中に入り込むことができ、更に底泥の分解が促進されるため好ましい。【００２１】
また、前記繊維製水質浄化材を、炭素繊維、活性炭繊維、酸化繊維、耐炎化繊維、パラ系アラミド繊維、ナイロン繊維、塩化ビニリデン繊維及びポリビニル繊維から選ばれる少なくとも一つの繊維、又は前記繊維の２種以上の組み合わせから構成すると、好気性細菌などの生物が繊維製水質浄化材に付着しやすくなるので好ましい。【００２２】
更に、前記酸化繊維として、アクリル繊維を２００〜３００℃で熱処理をした繊維を用いると、好気性細菌などの生物がより付着しやすくなるので好ましい。【００２３】
そして、本発明が対象とする浄化対象水としては、(1) 河川、水路、運河、池、湖沼、湾、入り江、海洋などに存在する環境水、(2) 工場などから排出される産業排水及び／又は(3) ヒトや家畜などの排泄物を含んだ生活排水が挙げられる。
【発明の効果】
【００２４】
本発明に係る「水浄化システム」あるいは「浄化対象水中の溶存酸素濃度の増加方法」を用いることによって、水中の溶存酸素濃度が高くなる。このように水中の溶存酸素濃度が高くなるのは、繊維製水質浄化材および炭素材を水中に配置した結果であり、それによって水中の好気性細菌などの生物が繁殖して、水質浄化が進行する。また、それによって水の透明度が高くなり、太陽光が水中にまで届くことから、植物が繁殖し、炭酸同化作用によって酸素ガスを発生することで、二次的な溶存酸素濃度の増加につながり、水質浄化が更に促進されるという格別顕著な効果を奏する。繊維製水質浄化材および炭素材の設置が水中の溶存酸素濃度を高めることは実験で確認されており、その理由の一つは、繊維製水質浄化材および炭素材に水中の浮遊性懸濁物が固着し、浄化対象水の透明度が向上して植物性プランクトンが増殖するためであると推定される。【００２５】
また、本発明によれば、水中で繁殖した好気性細菌などの生物の一部が繊維製水質浄化材を伝わって水底や壁部に設置した炭素材に盛んに移動する環境が用意されているため、自然界に普通に存在する好気性細菌などの生物によって、底泥が分解除去されるという格別顕著な効果を奏することにもなる。
【図面の簡単な説明】
【００２６】
【図１】本発明の水浄化システムの一実施例を示す平面図である。
【図２】図１中の矢印Ａ方向から見た、上記実施例の水浄化システムの一部を示す側面図である。
【発明を実施するための形態】
【００２７】
底泥を分解するシステム及び／又は方法、水質を浄化するシステム及び／又は方法、水中に魚介類を増殖させるシステム及び／又は方法、などにおいて重要な事項は、水中の溶存酸素濃度である。
【００２８】
ここで、本発明の水浄化システムを用いた水質浄化の基本は、好気性細菌による底泥の分解である。底泥の分解は、好気性細菌で実施する方が、分解速度が大きいからである。なお、汚濁物質あるいは汚染物質の分解は、嫌気性細菌と好気性細菌の何れを用いても行うことができ、好気性細菌による分解であれば、分解生成物は二酸化炭素と水であり、嫌気性細菌での分解であれば分解生成物はメタンなどである。
【００２９】
そして、好気性細菌を繁殖させて好気性細菌による底泥の分解を促進するには酸素が不可欠である。そのため、通常、好気性細菌を利用した水質浄化では、空気をマイクロバブル等として吹き込み、水中の溶存酸素濃度を高める曝気処理が行われている。しかし、曝気処理を行うと、消費電力が大きくなるという問題がある。
【００３０】
これに対して、本発明では曝気処理を行う必要がなく、本発明において好気性細菌が水底部で増殖し、植物性プランクトンや植物等が繁殖した結果として発生する酸素ガスは、単独分子として発生するものであり、ナノサイズよりもさらに小さく、微生物の代謝作用に使用するにはより好ましいサイズのものである。
【００３１】
本発明は、産業排水、下水などに対しても適用されるものである。産業排水や下水に適用する場合には、排水が充填される容器または水槽の底部あるいは壁部に炭素材を配置し、その炭素材を、水槽内につり下げた繊維製水質浄化材と接近あるいは接触させることで、水中の溶存酸素濃度が増加することから、汚濁物質の分解が促進され、水質浄化が進行する。
【００３２】
このような構造を構築することで、水中の溶存酸素濃度を高め、水中に生息している好気性細菌を繊維製水質浄化材に捕集して増殖させ、その増殖した好気性細菌を、水底部や底泥中に設置した炭素材中に移動させることができる。炭素材中に移動した好気性細菌は、底泥を分解し、重油状の底泥を無機質化した。なお、これらの現象は、実験で実証した。
【００３３】
浄化対象水中に配置する、炭素繊維などからなる繊維製水質浄化材は、浮体等によって水草のごとく立ち上がる炭素繊維からなるものが好ましい。それら炭素繊維から作られる繊維製水質浄化材は、ムカデ形、房型などで、末端が開繊し、ばらけた状態になっているもの、あるいは平面形状をもつ成形体でもよい。なお、形状は、シート状、ベルト状、帯状、ひも状、筒状、パイプ状、棒状、短冊状、らせん状、スパイラル状、格子状、穴あき状、網状でも良い。
【００３４】
（繊維製水質浄化材の吊り下げ）
水中に浸漬して配置する繊維製水質浄化材の形態は、水中に立ち上げるだけでなく、水面上にある浮体から底泥中の炭素材へ吊り下げた態様が好ましい。浮体としては、木材、竹、ゴム、プラスチックなどから作られる物体、あるいはそれらを連結したイカダ、ポンツーン、桟橋、フロート、ブイなどを用いることができる。これらの浮体に繊維製水質浄化材を固定し、そこから底泥まで吊り下げる。
【００３５】
吊り下げる繊維製水質浄化材としては、上述した水中から立ち上げる場合と同じものが使用可能であって、ムカデ形、房型などで、末端が開繊状になっているもの、あるいは平面形状をもつ成形体、あるいは織物状になっているものでも使用可能である。形状は、シート状、ベルト状、帯状、ひも状、筒状、パイプ状、棒状、短冊状、らせん状、スパイラル状、格子状、穴あき状、網状でも良い。
【００３６】
なお、繊維製水質浄化材としては、炭素繊維から作った網、あるいは、化学繊維または天然繊維で作られた網の中に木炭や炭素繊維などの炭素材をつめたものや、木炭をつめた網の外周部に炭素繊維を水中でゆらゆらするようにとりつけたものを用いても良い。
【００３７】
（流れのある場所での繊維製水質浄化材の取り付け方法）
水面から繊維製水質浄化材をロープ等で水中に吊り下げる場合、吊り下げるロープ等の取り付け方法が重要である。例えば川に繊維製水質浄化材を設置する場合、繊維製水質浄化材を吊り下げるロープを取り付ける支持ロープを川の流れに対して直角に水面付近に張り渡して配置することは、取り付け方法としては容易である。しかし、増水時に支持ロープに漂流物が架かるなど、災害を誘発する恐れがある。それに対し、川底から水面付近まで立設した杭等に支持ロープを結び付けて支持ロープを流れと平行に水面付近に張り渡した場合には、増水時でも支持ロープに漂流物がかかるなどの恐れは、少なくなる。
【００３８】
水底（底泥）の上面の少なくとも一部、または、浄化対象水域の壁部の一部もしくは全部を覆う炭素材は、木炭片、木炭粒、木炭粉でも良い。あるいは、木炭粉を、セメント硬化物、石膏、ガラス、プラスチック、でんぷん等のバインダーで固めた成型物でも良い。また、炭素繊維から作られるムカデ形、房型などで、末端が開繊状になっているものや、平面形状をもつ織物状等の成形体でもよい。炭素材の形状は、ベルト状、シート状、帯状、ひも状、筒状、パイプ状、棒状、短冊状、らせん状、スパイラル状、格子状、穴あき状、網状等とすることができる。
【００３９】
本発明では、このような炭素材を底泥の中にも埋め込んで使用することが、底泥を分解する効果がより促進されるために好ましく、このような炭素材としては、炭素繊維や木炭以外に、竹あるいはその他のバイオマスを炭化したものを用いることができる。なお、石炭からつくりだされたコークスなども炭素材として使用可能である。
【００４０】
更に、底泥の上面を覆ったり、底泥中に埋め込んだりする炭素材は、特に加工をしていない糸状の炭素繊維そのもの、あるいは、長繊維状の炭素繊維でもよい。さらに、短繊維の炭素繊維が絡み合わさったものでも良い。短繊維状の炭素繊維であっても、底泥中に分散することで、好気性細菌による底泥の分解が促進される。
【００４１】
（バイオマス炭化品の活用）
繭、綿、麻、羊毛、絹などの繊維形態を持つバイオマスを炭化すると、強度面では問題があるが、炭素材となり、底泥中に配置することによって、本発明の炭素材としての機能を発揮する。従って、不要となった繊維製品などを炭化したものも、底泥中等に配置する炭素材としては使用できる。その場合に、注意しなければならないのは、繊維長が短いと流出したりしてしまうことである。なお、炭素材の機械的強度が低く、設置後に炭素材が破壊されて粉末状になったとしても、それらが底泥中に分散することで、底泥を分解する機能は発揮される。
【００４２】
水中に配置する繊維製水質浄化材は、水底（底泥）の上面の少なくとも一部、または、浄化対象水域の壁部の一部もしくは全部を覆う炭素材と接触または近接させていることが望ましい。このようにすれば、水中の繊維製水質浄化材に付着した好気性細菌が底泥中の炭素材に容易に移動し、そこで底泥を分解することができる。なお、近接とは、例えば、水の流れによって繊維製水質浄化材と炭素材とが接触したり接触しなかったりするような距離にすることを指す。
【００４３】
（植物浄化との併用）
水中の汚濁源としては、窒素およびリンなどがある。炭素繊維に付着した微生物は、水中窒素を積極的に分解する。しかし、リンに関しては、気体状物質に変化しないことから、水中からの除去が困難である。
【００４４】
ここで、窒素およびリンは、植物にとっては不可欠の成分である。植物は、根から窒素やリンを栄養源として積極的に吸収する。そこで、水上には植物を配置し、水中には植物の根および炭素繊維を、底泥（水底）には炭素材を配置する水質浄化方法が考えられる。具体的には、浮体の上部に植物を配置し、浮体の下部に炭素繊維を配置することが考えられる。ここで、浮体下部に取り付ける炭素繊維としては、前記したような、底部から立ち上げる炭素繊維、あるいは、浮体から吊り下げる炭素繊維、具体的には、ムカデ形、房型などで、末端が開繊し、ばらけた状態になっているもの、平面形状をもつ成形体、シート状、ベルト状、帯状、ひも状、筒状、パイプ状、棒状、短冊状、らせん状、スパイラル状、格子状、穴あき状、網状のもの等を用いることができる。このようにすれば、成長した植物の根と、炭素繊維とが絡み合うことで、植物の根によるリンや窒素の吸収が積極的に行われ、それによって植物の成長が促進される。
【００４５】
なお、植物は、効率よく水中の窒素、リンを吸収するが、冬場になると枯れるために、集積した窒素やリンが水中に再溶解することが問題となる。この問題を解決する方法としては、枯れる前に植物を刈り取り、水環境の外に取り除くことが挙げられる。従って、浮体に取り付ける植物は、刈り取りやすいものが望ましい。具体的には背丈の高い、ショウブ、アシ、カヤなどが挙げられる。
【００４６】
（使用する炭素繊維の種類）
本発明において使用する炭素繊維は、ＰＡＮ系でも、ピッチ系でも良い。価格面、強度面を考慮するならば、水中に配置する炭素繊維は、ＰＡＮ系の長繊維が望ましい。一方、底泥中に配置する炭素繊維は、強度は特に要求しないことから、ピッチ系の汎用繊維でも良い。底泥中に配置する場合、繊維の長さも特に問題とはならない。ＰＡＮ系炭素繊維はフィラメント数が異なる場合があるが、本発明に関しては、実施する上で特に問題とはならない。
【００４７】
（酸化繊維の使用）
ＰＡＮ系炭素繊維を製造する過程で、原糸のアクリル繊維を２００℃以上かつ３００℃以下程度で熱処理した際に、酸化繊維（例えば、特許第２１８４０９５号に開示）あるいは耐炎化繊維（東邦テナックス製、パイロメックス（商標）など）が製造される。これらの繊維でも水質浄化は可能であり、水中に配置する炭素繊維の代わりに、これらの酸化繊維あるいは耐炎化繊維を用いてもよい。
【００４８】
また、底泥中に配置する炭素繊維の代わりに、あるいは、炭素繊維の一部に代えて、酸化繊維または耐炎化繊維を用いることでも浄化効果は発揮される。ただし、炭素繊維の場合よりも水質浄化効果は低くなる。
【００４９】
（炭素繊維表面のサイジング剤）
炭素繊維の表面は、複合材料として使用する場合に母材とよく接合するように、サイジング剤が塗布してある。特に、樹脂を母材とする複合材料に使用する場合には、両者の界面での結合力を高くするために、エポキシ系のサイジング剤が使用されている。本発明では、このようなエポキシ系サイジング剤がついた炭素繊維を水中に入れた場合でも、徐々に開繊し水質浄化効果を発揮する。
【００５０】
ここで、早期段階で水質浄化効果を得たいのであれば、水溶性のサイジング剤が塗布された炭素繊維を使用すると水質浄化効果がより早期に発揮される。なお、早期段階での水質浄化効果の発揮を望むものでなければ、炭素繊維表面に塗布するサイジング剤は、いずれのものでも使用可能である。
【００５１】
（水草の繁茂）
本発明による効果の一つは、水草の成長が促進されることである。底泥が炭素材の設置効果で分解除去されることで、水の透視度が向上する。それによって水の透視度が高くなり、太陽光が浄化対象水中の底部付近にまで到達するようになり、光合成作用が活発となり、植物が繁茂する。水中で植物が成長することで、酸素ガスが発生し、水中の溶存酸素量が更に高くなり、水中の好気性細菌の働きは活発となり、汚濁物質の分解はより促進される。植物の成長は、水質浄化にとっては好ましいことであり、本発明では、底泥の中に配置した炭素材の働きにより植物の成長が促進される。
【００５２】
（藻場機能、魚の増殖）
本発明による効果の他の一つは、魚が殖え、水浄化システムが藻場としての機能を示すことである。炭素繊維を水中に配置し、炭素材で底泥の上面を覆ったり、底泥中に炭素材を設置したりすることで、魚が増える。これは、水中の炭素繊維が魚の産卵場、隠れ場、飼育場、餌場などとなるからである。また、炭素繊維にはたくさんのプランクトンが集まり、それを捕食する魚類が集まってくるからである。これらの現象は、水中の溶存酸素濃度が高まったことに起因している。
【００５３】
更に、本発明の水浄化システムでは、底泥の上面と底泥中に炭素材を置くことで、貝類、えび、カニなどの甲殻類が増えた。また、泥の中で生育するドジョウやウナギなども増えた。これらの生物群は、底泥中の栄養分を捕食し、生きている。このような現象も、水中の溶存酸素濃度が高まったことに起因している。
【００５４】
（底泥に配置する炭素材の配置方法）
底泥中に配置する炭素材は、底泥の表面に置く場合、底泥中に配置する場合、底泥内部のみに配置する場合などがある。基本的には、水中に配置する炭素繊維と底泥中の炭素材とが接触していることが好ましい。
【００５５】
従って、底泥の内部に炭素材を配置したとしても、表面と内部にある炭素材が接触できない状態をつくることは、できれば避ける必要がある。底泥の内部の微生物の移動が可能である配置が求められるからである。
【００５６】
本発明者は、環境水中の溶存酸素濃度を高めるべく、上記の繊維製水質浄化材および炭素材の配置を環境水中に構築することで、水中の溶存酸素濃度が増加したことを発見した。水中に炭素繊維、底泥の上面に炭素材を配置することで、水底部の溶存酸素濃度が著しく増加した。本発明者は、水中に炭素繊維をつり下げ、底部に炭素材を配置した箇所では、設置していない場所に比べ、溶存酸素濃度が高いことに気づいた。
【００５７】
水中の、炭素繊維を配置した場所の水底部の溶存酸素濃度は、水表面付近よりもさらに低くなる。これは炭素繊維に付着した微生物、あるいは水底部に堆積した底泥によって溶存酸素が消費されるからである。しかし、溶存酸素濃度は、炭素材および炭素繊維を配置した場所の方が、配置していない場所よりも高い。
【００５８】
本発明によって、下記の変化が観察された。すなわち、水中の溶存酸素濃度の増加、透明度の向上、底泥から発生するメタンガス発生量の減少あるいは消滅である。なお、浄化システムの設置前の底泥は猛烈な悪臭を発生したが、浄化システムを設置した後は、悪臭は低下あるいは消滅した。
【００５９】
さらに、その他の変化として、底泥の性状が変化した。浄化システムの設置前は、底泥中に有機成分が存在し、底泥は悪臭を発生するとともに粘性を帯びていた。しかし、浄化システムを設置した後では、底泥中の微細粒子が有機物の分解により流出し、環境水の汚濁は短時間で消えて透明度の早期向上を引き起こした。また、小型魚類の生息数が増加した。更には、つり下げた炭素繊維には、貝類が付着していた。
【実施例】
【００６０】
また、本発明を実施したことによって、驚くべきことに、浄化システムを設置した箇所から下流域でも溶存酸素濃度の増加が認められた。以下、この発明を実施例によって詳細に説明する。【００６１】
（実施例１）
本発明者は水槽を使用した以下の実験で、環境水中の溶存酸素濃度が増加することを実証した。図１は、本発明の水浄化システムの一実施例を示す平面図、図２は、図１中の矢印Ａ方向から見た、上記一実施例の水浄化システムの一部を示す側面図である。
この実施例では、図１，２に示すように、溜まった水が僅かに流れている用水路の水域中に、周囲をゴムシートからなる壁部で正方形状に区画した実験水槽１（１２ｍ×１２ｍ）を設置し、その実験水槽１の中に、ポンプで環境水ＥＷを矢印で示すように単位時間当たり一定量（毎分１９リットル）流入させ続けた。この実験水槽１の底部は、底泥ＢＭが堆積した川底であり、特にゴムシートなどを張ることなく、水のしみ込み、しみ出しなどが行われる状態になっている。実験水槽１への環境水ＥＷの流入口はあるが、流出口はない。実験水槽１内の環境水ＥＷは、場所は明確ではないが、ゴムシートの周囲から少しずつしみ出している。実験水槽１の水深は、平均的には１．５ｍである。実験水槽１の下部には、底泥ＢＭが２０ｃｍ程度堆積しており、水浄化システムの設置前にはメタンガスの発生が認められた。【００６２】
実験水槽１内の水質を浄化するべく、繊維製水質浄化材として炭素繊維製水質浄化材２を、水表面ＷＳに張ったロープ３から小フロート４を介してつり下げた。ロープ３は、後述する炭素材６（織物状炭素繊維）の1枚当たりに３本ずつ張ってある。さらにロープ３が水中に沈下することのないよう、大フロート５を配置した。使用した炭素繊維製水質浄化材２は、柿文織物合資会社製のムカデ形、長さ６０ｃｍであった。その形状は、中央部８のポリエステル製シート（幅４ｃｍ）２枚の間に、シートの長手方向に１ｃｍ間隔で、ストランド状の炭素繊維９（PAN系、１２K）を左右の長さがそれぞれ２０ｃｍになるよう配置して、中央部のポリエステル製シートで挟んで固定したものである。１本の炭素繊維製水質浄化材２に使用した炭素繊維重量は、２０ｇであった。実験水槽１の水深が１．５ｍであったので、２．５本の炭素繊維製水質浄化材２を結束バンドで連結して、その水深に合った１．５ｍの長さとして使用した。【００６３】
また、実験水槽１の底泥ＢＭの上面に設置する炭素材６としては、織物状炭素繊維を用いた。この炭素材６は、（有)フクオカ機業製、平織りで、縦横１ｍ×１ｍであった。これを水中に沈ませて設置するために、図２に示すように錘としてのスチールメッシュ７（縦横１ｍ×１ｍ）に結束バンドを使用して固定した。さらに、各炭素材６に、上記ムカデ形炭素繊維製水質浄化材２を２．５本連結したものを縦横３本×３本並べて合計９本固定した。【００６４】
実験水槽１内には、図１に示すように炭素材６を１列に連続して９枚配置し、さらに平行に３列配置した。従って、１列に固定されたムカデ形炭素繊維製水質浄化材２は、２０２．５本になった。そして、平行に３列配置したことで、全体では６０７．５本になった。よって、使用した炭素繊維重量は、１２１５０ｇとなった。また、炭素材６の重量は、１枚が約１０００ｇであるから、２７０００ｇとなった。【００６５】
浄化材２および炭素材６の設置は、平成２０年８月１１日に行った。その際の溶存酸素濃度は、水表面付近では約１０ｍｇ／ｌ、水底部では約１ｍｇ／ｌ以下であった。溶存酸素濃度の測定は、ＤＯメーター（飯島電子（株）製、１Ｄ−１００）を使用して行った。実験水槽１内で場所を変えて測定したが、同様の数値であった。【００６６】
浄化材２および炭素材６を設置してから１４日後に再度、溶存酸素濃度を測定した。流入水（環境水ＥＷ）の導入場所付近では、水表面付近では１０ｍｇ／ｌ、水表面から１００ｃｍ下では５ｍｇ／ｌ、水底部では１ｍｇ／ｌ以下であった。これは設置前と同様の数値であった。ところが、浄化材２および炭素材６を配置した水域では、溶存酸素濃度が変化した。水表面付近では１０ｍｇ／ｌで、流入域と同様の値であった。しかし、水底部では３〜４ｍｇ／ｌで、設置前とは異なった数値であった。浄化材２および炭素材６を配置した場所内で測定位置を変えて測定したが、同様の数値であった。【００６７】
流入水は、浄化材２および炭素材６を通過してから実験水槽１から流れ出るようになっている。そこで、浄化材２および炭素材６の設置域よりも下流にある水域で溶存酸素濃度を測定すると、浄化材２および炭素材６を設置した箇所と同様の数値であった。これらのことから炭素繊維製水質浄化材２を水中につり下げ、底部に織物状の炭素材６を配置することで、水中の溶存酸素濃度が向上することが判明した。【００６８】
浄化材２および炭素材６を配置する前は、実験水域の底部からのメタンガスの発生が顕著であった。特に、棒あるいは採泥器で底部を攪拌した場合には、大量のメタンガスが発生した。設置２週間後に、同様の操作を行った。浄化材２および炭素材６を配置していない上流域では同様にメタンガスの発生がみられた。しかし、浄化材２および炭素材６を配置した場所ではメタンガスの発生はみられなかった。また、実験水域の下流域におけるメタンガスの発生量は、設置前と比べると遙かに少なく、少量であった。【００６９】
（底泥の匂いの評価）
採取した底泥の臭いをかいでみた。流入域での底泥は、悪臭を感じた。しかし、浄化材２および炭素材６を配置した水域では、底泥はサラサラになり臭いもなくなった。実験水域の下流域では、臭いはやや感じられたが、流入域とは比較にならないほど僅かであった。悪臭がなくなったということは、水中の溶存酸素濃度が高くなったことで微生物の働きが活性化し、悪臭を発生する底泥中の有機物が分解されたということを示すものである。【００７０】
各流域で採水した水の透視度を測定した。流入域では１０ｃｍであったが、浄化材２および炭素材６を配置した水域では、２０ｃｍであった。ここよりも下流域では、両者の中間の１５ｃｍであった。【００７１】
浄化材２および炭素材６を設置した水域の中央部の表面水を採取した。採水には、長い棒の先に採水容器を取り付け、周囲の水を攪拌することなく行った。採取した水の様子を観察すると、ミジンコと推定される動物性プランクトンが５匹、元気に遊泳していた。浄化材２および炭素材６を設置していない箇所の表面水を同様の方法で採取し、観察した。しかし、この場合には、動物性プランクトンの存在は認められなかった。このような現象が生じた理由としては、浄化材２および炭素材６を設置した水域では、溶存酸素濃度が高いことから、動物性プランクトンが生育できるが、未設置水域では、溶存酸素濃度が低いか、きわめて少ないことから、動物性プランクトンが生育できないためということが考えられる。【００７２】
そして、本発明の水浄化システムを設置した水域では、溶存酸素濃度の増加によって微生物による水質浄化が進行し、それとともに、高い表面積をもつ炭素繊維製水質浄化材に浮遊性懸濁物が固着されている。【００７３】
上述したように、環境水中に炭素材料を配置したことで、溶存酸素濃度が高くなった。その理由を列記すると、以下の如くであると推定される。すなわち、水中に立ち上げた炭素繊維に粘着性細菌が付着し、その粘着性細菌に浮遊性懸濁物が固着することで水の透明度が向上した。それによって水底付近まで植物性プランクトンが増殖し、酸素ガスを水中で発生させた。これにより溶存酸素濃度が高くなり、好気性細菌が増殖し、それらによって底泥が捕食分解されることから、底泥の脱臭がされると共にメタンの発生がなくなった。さらに、透明度が向上して水中植物も繁殖することで、酸素ガスの発生量がより多くなった。なお、粘着性細菌とは、粘着性の物質を分泌する細菌、例えば納豆菌である。【００７４】
（実施例２）
関東地方にある、底部にはヘドロが堆積し、夏場にはアオコが発生する沼（面積約３万ｍ２）で実験を行った。
具体的には、まず、浮体として竹材を組み合わせたイカダ（２ｍ×２ｍ）を作製すると共に、ムカデ形炭素繊維を長さ方向に３本連結してなる繊維製水質浄化材を該イカダに３０ｃｍ間隔で４９本（７列×７列）取り付けた。そして、繊維製水質浄化材を取り付けたイカダを沼の一部の水深約２ｍの場所の水面に浮かべ、繊維製水質浄化材を水中に浸漬してイカダから吊り下げた。更に、イカダの下方かつ底泥（ヘドロ）の上部に、炭素材としての織物状炭素繊維（１ｍ×１ｍ）を鉄網に張り付けたものを設置し、イカダから吊り下げられた繊維製水質浄化材の下部と、織物状の炭素繊維とを接触させた。【００７５】
繊維製水質浄化材および織物状炭素繊維を設置してから３ヶ月後、イカダ中央の下部にある水の溶存酸素濃度をＤＯメーター（飯島電子（株）製、１Ｄ−１００）で測定した。その結果、水面付近の溶存酸素濃度は１８．０ｍｇ／ｌであり、水面から５０ｃｍ下部の溶存酸素濃度は、１７．５ｍｇ／ｌであった。さらに、水面から１ｍ下部の溶存酸素濃度は１２．０ｍｇ／ｌであり、水面から１．５ｍ下部の溶存酸素濃度は８．０ｍｇ／ｌであり、水面から２ｍ下部（底泥付近）の溶存酸素濃度は６．８ｍｇ／ｌであった。
なお、イカダから１０ｍはなれた箇所でも同様にして溶存酸素濃度を測定したところ、水面付近では１９．１ｍｇ／ｌであり、水面から５０ｃｍ下部では１６．６ｍｇ／ｌであり、水面から１ｍ下部では１２．０ｍｇ／ｌであり、水面から２ｍ下部では１．６ｍｇ／ｌであった。因みに、繊維製水質浄化材および織物状炭素繊維を設置する前の溶存酸素濃度は、水面付近では１９．１ｍｇ／ｌであり、水面から５０ｃｍ下部では１６．６ｍｇ／ｌであり、水面から１ｍ下部では１２．０ｍｇ／ｌであり、水面から２ｍ下部では１．６ｍｇ／ｌであった。【００７６】
また、繊維製水質浄化材および織物状炭素繊維を設置する前と、設置してから９ヶ月後とに、イカダ下部にある底泥を採取し、４００℃および８００℃での加熱減量率を測定した。
具体的には、まず、底泥をろ紙でろ過した後、１０５℃の乾燥器中で乾燥して乾燥物を得た。次に、乾燥物をるつぼにいれて精秤した後、角形電気炉中で、空気雰囲気下、４時間かけて４００℃まで加熱した。そして、４００℃で３時間保持して加熱物を得た。その後、電気炉内でるつぼを空冷し、重量測定を行った。
また、角形電気炉で８時間かけて８００℃まで加熱した以外は、４００℃まで加熱した場合と同様にして、底泥の乾燥、加熱および重量測定を行った。
そして、４００℃および８００℃での加熱減量率を、次の式から算出した。結果を表１に示す。
（加熱前の乾燥物重量―加熱物重量）／加熱前の乾燥物重量×１００％【００７７】
【表１】
2010035800.tif 000003
【００７８】
この実験より、本発明の水浄化システムを配置することで、水中、特に底泥部付近の溶存酸素濃度を増加させることが可能であることが明らかとなった。また、水浄化システムの設置後は、底泥の加熱減量率が低下しており、底泥中の有機物量が低下していることから、底泥の分解が進行していることが分かる。【００７９】
（実施例３）
生活排水が流れ込む池（約１０ｍ×１０ｍ×１．３ｍＨ）で実験を行った。
具体的には、繊維製水質浄化材として、炭素繊維製水質浄化材に代えてパラ系アラミド繊維（テクノーラＴ２３０、太さ：1670dtex、2000フィラメント）を用いたムカデ形のパラ系アラミド繊維製水質浄化材を用いた点、炭素材としての織物状炭素繊維および錘としてのスチールメッシュのサイズを縦横０．５ｍ×０.５ｍのとした点、炭素材に、ムカデ形のパラ系アラミド繊維製水質浄化材を２本連結して縦横２本×２本並べて合計４本固定した点を除き、他の点では実施例１と同様の構成を有する水質浄化システムを池に設置した。なお、繊維製水質浄化材１本に使用したパラ系アラミド繊維の重量は、４ｇであった。【００８０】
そして、水質浄化システムを設置してから１９日後に、水質浄化システムを設置した場所の水底部の溶存酸素濃度をＤＯメーター（飯島電子（株）製、１Ｄ−１００）で測定した。その結果、水質浄化システムを設置した場所の溶存酸素濃度は、水質浄化システム設置前では０．１６ｍｇ／ｌであったのに対し、１９日後には４．９ｍｇ／ｌに上昇した。なお、何も設置していない場所での１９日後の水底部の溶存酸素濃度は、０．３３ｍｇ／ｌであった。【００８１】
（実施例４）
繊維製水質浄化材として、耐炎化繊維（東邦テナックス製、パイロメックス（商標））を用いたムカデ形の耐炎化繊維製水質浄化材を用いた以外は、実施例３と同様にして実験を行った。なお、繊維製水質浄化材１本に使用した耐炎化繊維の重量は、１２ｇであった。【００８２】
そして、水質浄化システムを設置してから１９日後に、水質浄化システムを設置した場所の水底部の溶存酸素濃度をＤＯメーター（飯島電子（株）製、１Ｄ−１００）で測定した。その結果、水質浄化システムを設置した場所の溶存酸素濃度は、水質浄化システム設置前では０．３１ｍｇ／ｌであったのに対し、１９日後には６．６ｍｇ／ｌに上昇した。なお、何も設置していない場所での１９日後の水底部の溶存酸素濃度は、０．３３ｍｇ／ｌであった。【００８３】
実施例３および実施例４より、繊維製水質浄化材としてパラ系アラミド繊維や、耐炎化繊維を用いても、水中、特に底泥部付近の溶存酸素濃度を増加させることができることが明らかとなった。【００８４】
（比較例１）
実施例２に記載の実験を行った際に、水質浄化システムから３０ｍ離れた場所（３箇所）の底泥中に、炭素材として、（１）木炭をプラスチック製の網袋に詰めたもの、（２）織物状炭素繊維（１ｍ×１ｍ）、（３）５本のムカデ形炭素繊維浄化材を横に配列したものを配置した。【００８５】
そして、３ヶ月後に、上記（１）〜（３）を設置した場所の水中の溶存酸素濃度をＤＯメーター（飯島電子（株）製、１Ｄ−１００）で測定した。その結果、何れの場所でも、水面付近の溶存酸素濃度は１９．１ｍｇ／ｌであり、水面から５０ｃｍ下部の溶存酸素濃度は、１６．６ｍｇ／ｌであり、水面から１ｍ下部の溶存酸素濃度は１２．０ｍｇ／ｌであり、水面から２ｍ下部（底泥付近）の溶存酸素濃度は１．６ｍｇ／ｌであった。なお、炭素材を設置していない場所の溶存酸素濃度は、（１）〜（３）を設置した場所の溶存酸素濃度と同等であった。【００８６】
以上、実施例について説明したが、この発明は上述の例に限定されるものでなく、特許請求の範囲の記載範囲内で適宜変更し得るものである。
【産業上の利用可能性】
【００８７】
かくしてこの発明の環境水および産業排水および生活排水中の溶存酸素濃度を高める方法によれば、生態系を破壊することなく、汚濁物質を効果的に分解し、環境水および産業排水および生活排水の浄化を行うことができる。
【図１】
2010035800.tif 000004
【図２】
2010035800.tif 000005
【国際調査報告】
2010035800.tif 000006
2010035800.tif 000007
2010035800.tif 000008
2010035800.tif 000009